(57)【特許請求の範囲】
【請求項１】
物品(2a)を収納する上部開口状の収納室(3)を形成する容器本体(4)と、容器本体の上部開口を開閉自在に閉蓋する蓋体(5)とから成り、蓋体(5)により容器本体(4)の上部開口を閉蓋した状態で、蓋体と容器本体の相互に係脱自在に係止する係止手段(6a,6b)を設け、蓋体(5)の下面の弾性片(14)を物品(2a)の上部に弾接するように構成した物品収納容器であり、
蓋体(5)の下面に相互に距離Ｌ１で離間する一対の被嵌合部(17)(17)を形成し、弾性片(14)を構成する弾性シート(15)の両端に距離Ｌ２で離間する一対の嵌合部(21)(21)を形成し、該嵌合部(21)(21)を前記被嵌合部(17)(17)に着脱自在に嵌合するように構成され、
前記被嵌合部(17)(17)の離間距離Ｌ１と嵌合部(21)(21)の離間距離Ｌ２をＬ１＜Ｌ２となるように構成することにより、嵌合部(21)(21)を被嵌合部(17)(17)に嵌合した状態で、弾性シート(15)が弓状に湾曲するように構成して成ることを特徴とする物品収納容器。
【請求項２】
ほぼ平行に揃えた一対の箸(2,2)を収納する箸箱(1)を構成し、箸の全長を超える細長い上部開口状の収納室(3)を形成し、該収納室(3)の上部開口を蓋体(5)により閉蓋する物品収納容器であり、
前記弾性片(14)が一対の箸(2,2)の表面に同時に弾接される幅を有する弾性シート(15)により形成されて成ることを特徴とする請求項１に記載の物品収納容器。
【請求項３】
一対の被嵌合部(17)(17)に相互に対向する嵌合凹部(18)を形成すると共に、一対の嵌合部(21)(21)に前記嵌合凹部(18)に嵌入する嵌合凸部(22)を形成しており、
嵌合凸部(22)(22)を嵌合凹部(18)(18)に嵌入することにより弾性シート(15)を弓状に湾曲させた状態で、該弾性シート(15)の復元力により嵌合凸部(22)を嵌合凹部(18)に向けて弾発付勢するように構成して成ることを特徴とする請求項１又は２に記載の物品収納容器。
【発明の詳細な説明】
【技術分野】
【０００１】
本発明は、物品収納容器に関し、特に、箸箱として好適に使用される物品収納容器に関する。
【背景技術】
【０００２】
従来、ほぼ平行に揃えた一対の箸を収納する箸箱が提供されている。このような箸箱は、弁当箱とあわせて箸を携帯するために使用されるのが一般的であり、箸の全長を超える細長い上部開口状の収納室を形成する容器本体と、前記上部開口を開閉自在に閉蓋する蓋体とから構成され、蓋体により容器本体の上部開口を閉蓋した状態で、蓋体と容器本体の相互に係脱自在に係止する係止手段を設けている。
【０００３】
箸箱は、容器本体の細長い上部開口縁に沿って蓋体を摺動させることにより閉蓋するスライド形式のものや、容器本体に上方から蓋体を覆い被せるように被冠させることにより閉蓋する被冠形式のものや、容器本体に蓋体をヒンジで揺動させることにより閉蓋するヒンジ形式のもの等が提供されている。スライド形式の箸箱は、容器本体のレール部分に蓋体の両側縁を摺動自在に嵌合することにより、閉蓋状態を維持する係止手段を構成している。また、被冠形式の箸箱及びヒンジ形式の箸箱は、閉蓋状態で相互に嵌着する係止凹部と係止凸部を設けることにより、閉蓋状態を維持する係止手段を構成している。これにより、箸箱を持ち運ぶ際に、不慮による蓋体の開蓋を防止する。
【０００４】
【特許文献１】特開２００４−１１３４９４号公報
【発明の開示】
【発明が解決しようとする課題】
【０００５】
箸箱は、箸の出し入れを容易にするため、収納室が一対の箸の寸法よりも大きめに形成されている。また、このように収納室を大きめに形成することにより、容器本体の水洗等による洗浄作業を容易にしている。
【０００６】
ところが、箸を収納した状態で持ち運ぶ際に、箸が容器本体の内部でガタツキを生じ、遊動することになる。このため、箸を損傷するおそれがあり、遊動によりカチカチと騒音を発生するという問題がある。
【０００７】
このような問題は、例えば、収納室に中皿を設け、該中皿に形成した凹部に箸を遊動不能に嵌合させる構成とすれば解決できる。しかしながら、この場合、箸の形状や寸法が様々であるにも関わらず、凹部に合致する箸だけを収納する専用の箸箱となり、汎用性を有する箸箱を提供できない。
【０００８】
本発明は、汎用性を有する箸箱であり、収納室を一対の箸の寸法よりも大きめに形成した箸箱でありながら、内部で箸がガタツキを生じないようにした箸箱を提供するものである。このような本発明の容器は、箸箱に限らず、種々の物品を収納するための物品収納容器にも適用可能である。
【課題を解決するための手段】
【０００９】
そこで、本発明が手段として構成したところは、物品を収納する上部開口状の収納室を形成する容器本体と、容器本体の上部開口を開閉自在に閉蓋する蓋体とから成り、蓋体により容器本体の上部開口を閉蓋した状態で、蓋体と容器本体の相互に係脱自在に係止する係止手段を設け、蓋体の下面の弾性片を物品の上部に弾接するように構成した物品収納容器であり、蓋体の下面に相互に距離Ｌ１で離間する一対の被嵌合部を形成し、弾性片を構成する弾性シートの両端に距離Ｌ２で離間する一対の嵌合部を形成し、該嵌合部を前記被嵌合部に着脱自在に嵌合するように構成され、前記被嵌合部の離間距離Ｌ１と嵌合部の離間距離Ｌ２をＬ１＜Ｌ２となるように構成することにより、嵌合部を被嵌合部に嵌合した状態で、弾性シートが弓状に湾曲するように構成して成る点にある。
【００１０】
本発明の物品収納容器は、ほぼ平行に揃えた一対の箸を収納する箸箱を構成することができ、その場合、箸の全長を超える細長い上部開口状の収納室を形成し、該収納室の上部開口を蓋体により閉蓋するように構成され、前記弾性片が一対の箸の表面に同時に弾接される幅を有する弾性シートにより形成される。
【００１２】
その際、一対の被嵌合部に相互に対向する嵌合凹部を形成すると共に、一対の嵌合部に前記嵌合凹部に嵌入する嵌合凸部を形成し、嵌合凸部を嵌合凹部に嵌入することにより弾性シートを弓状に湾曲させた状態で、該弾性シートの復元力により嵌合凸部を嵌合凹部に向けて弾発付勢するように構成することが好ましい。
【発明の効果】
【００１３】
請求項１に記載の本発明によれば、容器本体４の収納室３に物品２ａを収納し、蓋体５により閉蓋すると共に、係止手段６ａ、６ｂを係止することにより閉蓋状態を維持させた状態で、蓋体５の下面に設けた弾性片１４が物品２ａの上部に弾接され、これにより物品２ａのガタツキや遊動が阻止されるので、容器１ａの持ち運びに際して、物品２ａの遊動による損傷や騒音を生じることがない。そして、弾性片１４は、蓋体５の下面に着脱自在に取付けられているので、容器１ａを水洗等により洗浄する際には、弾性片１４と蓋体５を分解した状態で容易に洗浄できる利点がある。特に、本発明によれば、離間距離Ｌ２とした嵌合部２１、２１を離間距離Ｌ１とした被嵌合部１７、１７に嵌合することにより、弾性シート１５を弓状に湾曲させる構成であるから、構造簡単でありながら弾性片１４を物品２ａの表面に好適に弾接できる効果がある。
【００１４】
請求項２に記載の本発明によれば、上記効果を奏する優れた箸箱を提供することができる。この際、弾性片１４は、一対の箸２、２の表面に同時に弾接される幅を有する弾性シート１５により形成されるので、１枚の弾性シート１５を設けるだけで、所期の目的が好適に達成される。
【００１６】
請求項３に記載の本発明によれば、嵌合凹部１８、１８に嵌合凸部２２、２２を嵌入した状態で、弓状に湾曲した弾性シート１５の復元力により、嵌合凸部２２、２２が嵌合凹部１８、１８に嵌入する方向に弾発付勢力を作用させる構成であるから、開閉に際して蓋体５に衝撃等が加えられても、弾性片１４が不慮に脱落することはない。
【発明を実施するための最良の形態】
【００１７】
以下図面に基づいて本発明の好ましい実施形態を詳述する。図１に示すように、箸箱１としての物品収納容器１ａは、ほぼ平行に揃えた一対の箸２、２（物品２ａ）を収納する上部開口状の収納室３を形成する容器本体４と、容器本体４の上部開口を開閉自在に閉蓋する蓋体５から構成され、蓋体５により容器本体４の上部開口を閉蓋した状態で、蓋体５と容器本体４の相互に係脱自在に係止する係止手段６ａ、６ｂを設けている。
【００１８】
図示実施形態の場合、容器本体４は、箸２の全長を超える細長い上部開口状の収納室３を形成するように、底壁７の周縁近傍から周壁８を立設した細長い矩形の皿状に形成され、蓋体５は、前記上部開口を覆う板状部９の周縁から周壁１０を垂設した倒立皿状に形成され、蓋体５の周壁１０を容器本体４の周壁８に外嵌することにより閉蓋するように構成しており、前記周壁８、１０の相互に係脱自在に係止する溝６ａとリブ６ｂにより前記係止手段を構成している。
【００１９】
図例の場合、蓋体５により閉蓋した状態で、蓋体５の周壁１０の下縁を支承する張り出し縁１１を容器本体４の底壁７に周設しており、該張り出し縁１１の上面１１ａを部分的に露出させるための窪み１２を蓋体５の周壁１０の両側に形成している。従って、図４（Ｃ）に示すように、蓋体５を容器本体４に被冠させた状態において、溝６ａとリブ６ｂの係止により閉蓋状態を維持するが、窪み１２に押し当てた指先により、窪み１２の上縁部１２ａと張り出し縁１１の上面１１ａに離反方向の力を加えることにより、溝６ａとリブ６ｂの係止を解除させ、蓋体５を容器本体４から取外し、開蓋できるように構成されている。
【００２０】
このように、図示の実施形態は、従来技術に関して上述した被冠形式の箸箱を構成しているが、本発明の箸箱１は、これに限らず、上述したようなスライド形式やヒンジ形式の箸箱としても良い。尚、容器本体４と蓋体５は、それぞれ合成樹脂により一体成形することができる。
【００２１】
図１（Ｂ）及び図４（Ｃ）に示すように、容器本体４の周壁１０の内側には、収納室３の長手方向のほぼ中央部に両側から臨む小柱１３が形成されている。従って、収納室３に収納された箸２、２は、両側の小柱１３、１３により収納室３の幅方向の中央部に定置するように案内される。
【００２２】
蓋体５により容器本体４を閉蓋し、前記係止手段６ａ、６ｂを係止した状態で、収納室３に収納された箸２、２の上部に臨む弾性片１４が蓋体５の下面に着脱自在に設けられており、該弾性片１４が箸２、２の上部に弾接されるように構成している。
【００２３】
図２に示すように、弾性片１４は、シリコンゴム等の合成ゴムないしエラストマー等の弾性素材により一体成形された弾性シート１５を構成し、蓋体５の板状部９の下面（内側面）に形成された取付部１６に着脱自在に取付けられる。
【００２４】
図３に示すように、取付部１６は、板状部９の長手方向のほぼ中央部に位置すると共に、該長手方向に相互に距離Ｌ１で離間する一対の被嵌合部１７、１７により構成され、該被嵌合部１７、１７に相互に対向する嵌合凹部１８を形成している。この際、一方の被嵌合部１７には、嵌合凹部１８に向けて貫通する切欠１９が形成されている。尚、被嵌合部１７、１７の間に、前記嵌合凹部１８、１８を含んで板状部９の下面を僅かに凹入させた凹所２０が形成されている。
【００２５】
弾性シート１５は、前記板状部９の長手方向に延びると共に、該長手方向の両端に距離Ｌ２で離間する一対の嵌合部２１、２１を形成しており、該嵌合部２１に前記嵌合凹部１８に嵌入自在な嵌合凸部２２を設けている。弾性シート１５は、全体的に容易に変形自在となる柔軟な弾性を有するシート状に形成されているが、前記嵌合部２１は厚肉とされることにより比較的変形困難となるように形成されている。
【００２６】
図示実施例の場合、図５（Ａ）に示すように、弾性シート１５は、常態（成形後の状態で何ら外力が加えられない状態）においてフラットなシート形態とされ、その両端から嵌合部２１、２１が角度θ（９０度＜θ＜１２０度）をなして延設されており、図４（Ａ）に示すように、嵌合部２１、２１の嵌合凸部２２を被嵌合部１７、１７の嵌合凹部１８に嵌入し、弾性シート１５を弓状に湾曲させたとき、嵌合部２１、２１が板状部９の下面に対してほぼ直角の状態で固定されるように構成している。
【００２７】
前記被嵌合部１７、１７の離間距離Ｌ１と、嵌合部２１、２１の離間距離Ｌ２は、Ｌ１＜Ｌ２となるように構成されており、嵌合部２１、２１の離間距離Ｌ２を前記離間距離Ｌ１まで縮めると、弾性シート１５が矢印Ｕ方向（図３（Ａ）参照）に向けて弓状に湾曲するように構成されている。
【００２８】
そこで、嵌合部２１、２１の嵌合凸部２２を被嵌合部１７、１７の嵌合凹部１８に嵌入させると、図２に示すように、弾性シート１５が弓状に湾曲した状態で弾性片１４が蓋体５の取付部１６に取付けられる。この状態で、弾性シート１５の復元力が嵌合凸部２２を嵌合凹部１８に向けて弾発付勢するように作用しているので、弾性片１４が簡単容易に脱落することはない。
【００２９】
弾性片１４を蓋体５から取外す場合は、弾性シート１５の弾性変形を介して嵌合部２１、２１を被嵌合部１７、１７から抜き取れば良い。この際、一方の被嵌合部１７に形成された切欠１９に爪楊枝等の針状部材の先端を挿入すれば、嵌合部２１を被嵌合部１７から容易に離脱させることができる。そして、一方の嵌合部２１が離脱すると、他方の嵌合部２１に対する弾発付勢力が消滅するので、弾性片１４を取付部１６から簡単容易に取外すことができる。従って、弾性片１４を取外した状態で、該弾性片１４と蓋体５を水洗等により容易に洗浄することができる。
【００３０】
容器本体４の収納室３に箸２、２を収納した後、該容器本体４に覆い被せるように蓋体５を被冠させ閉蓋すると、図４（Ａ）に示すように蓋体５に取付けられた弾性シート１５が弓状に湾曲した状態から、図４（Ｂ）及び図４（Ｃ）に示すように箸２、２の表面に弾接されて変形し、係止手段６ａ、６ｂを係止することにより閉蓋状態を維持する。この際、弾性シート１５は、一対の箸２、２の表面に同時に弾接される幅を有するように形成されている。従って、箸２、２は、弾性シート１５で押さえつけられることにより、収納室３の内部でガタツキを生じることはなく、遊動不能な状態で保持される。
【００３１】
図示実施形態の場合、箸２、２の長手方向のほぼ中央部が両側から小柱１３、１３で拘束されているので、中央部を支点とする旋回方向に対する箸２、２の遊動を阻止すれば足りる。従って、弾性シート１５の弾接力は、このような旋回方向の遊動を阻止する程度の力であれば良い。
【００３２】
箸２、２を使用するため開蓋する場合は、上述のように窪み１１を利用して係止手段６ａ、６ｂの係止を解き、蓋体５を容器本体４から取外せば良い。開閉に際して蓋体５に衝撃が加えられるときでも、弓状に湾曲した弾性シート１５の復元力が嵌合凸部２２、２２を嵌合凹部１８、１８に向けて弾発付勢するように作用しているので、弾性片１４が不慮に脱落するようなことはない。
【００３３】
そして、箸箱１を水洗等により洗浄する場合は、弾性片１４を取付部１６から取外すことにより、弾性片１４と蓋体５を分解した状態で容易に洗浄することが可能である。
【図面の簡単な説明】
【００３４】
【図１】本発明の１実施形態の外観を示しており、（Ａ）は閉蓋状態の物品収納容器を示す斜視図、（Ｂ）は開蓋状態の物品収納容器を示す斜視図である。
【図２】蓋体に弾性片を取付けた状態を示しており、（Ａ）は蓋体を仰向け状態で示す斜視図、（Ｂ）は弾性片の取付個所を一部破断して示す拡大図である。
【図３】蓋体と弾性片を分解した状態を示しており、（Ａ）は蓋体と弾性片の着脱自在な取付構造を示す斜視図、（Ｂ）は断面図である。
【図４】弾性片による作用を示しており、（Ａ）は閉蓋前の状態を示す断面図、（Ｂ）は閉蓋後の状態を示す断面図、（Ｃ）は（Ｂ）のＣ−Ｃ断面図である。
【図５】弾性片を示しており、（Ａ）は断面図、（Ｂ）は平面図、（Ｃ）は正面図、（Ｄ）は右側面図、（Ｅ）は底面図である。
【符号の説明】
【００３５】
１  箸箱
１ａ  物品収納容器
２  箸
２ａ  物品
３  収納室
４  容器本体
５  蓋体
６ａ、６ｂ  係止手段
１４  弾性片
１５  弾性シート
１６  取付部
１７  被嵌合部
１８  嵌合凹部
２１  嵌合部
２２  嵌合凸部
【図１】
0004820385.tif 000002
【図２】
0004820385.tif 000003
【図３】
0004820385.tif 000004
【図４】
0004820385.tif 000005
【図５】
0004820385.tif 000006